(57)【要約】【課題】利便性を向上するスキャナーを提供する。【解決手段】公衆回線とＬＡＮに接続するスキャナーであって、認証されていないユーザーについては前記ＬＡＮへのデータの送信を許可する一方で前記公衆回線へのデータの送信を制限し、認証されたユーザーについては前記ＬＡＮと前記公衆回線とのいずれに対してもデータの送信を許可する制御部を備える、スキャナー。【選択図】図１
2020136957.tif 000002
【特許請求の範囲】
【請求項１】
公衆回線とＬＡＮに接続するスキャナーであって、
認証されていないユーザーについては前記ＬＡＮへのデータの送信を許可する一方で前記公衆回線へのデータの送信を制限し、認証されたユーザーについては前記ＬＡＮと前記公衆回線とのいずれに対してもデータの送信を許可する制御部を備える、
スキャナー。
【請求項２】
前記制御部は、認証されたユーザーについては、前記ＬＡＮが選択された状態の第１操作画面を表示し、前記第１操作画面に含まれるネットワーク切替指示部がユーザーによって操作された場合に、前記公衆回線が選択された状態に切り替える、
請求項１に記載のスキャナー。
【請求項３】
前記制御部は、ユーザーの認証が成功した場合、当該ユーザーに対応する端末装置に設定情報を要求し、前記端末装置から受信した前記設定情報に前記公衆回線の使用を許可する情報が含まれている場合、前記公衆回線が選択された状態の第２操作画面を表示する、
請求項１または請求項２のいずれか１項に記載のスキャナー。
【請求項４】
前記制御部は、複数の前記端末装置について、前記端末装置から受信した無線電波の電波強度が最も強い前記端末装置からの認証要求に対しては前記ユーザーの認証を成功させ、他の端末装置からの認証要求に対しては前記ユーザーの認証を失敗させる、
請求項３に記載のスキャナー。
【請求項５】
前記制御部は、前記端末装置からＢＬＥ通信を介して受信した認証情報に基づいて前記ユーザーの認証を行う、
請求項３または請求項４のいずれか１項に記載のスキャナー。
【請求項６】
公衆回線とＬＡＮに接続するスキャナーにおけるスキャンデータ処理方法であって、
前記スキャナーは、認証されていないユーザーについては前記ＬＡＮへのデータの送信を許可する一方で前記公衆回線へのデータの送信を制限し、認証されたユーザーについては前記ＬＡＮと前記公衆回線とのいずれに対してもデータの送信を許可する、
スキャンデータ処理方法。
【発明の詳細な説明】
【技術分野】
【０００１】
本発明は、スキャナーおよびスキャンデータ処理方法に関する。
【背景技術】
【０００２】
スキャナーあるいはスキャナーの機能を有する複合機に複数のネットワークが接続されることがあった。
【０００３】
特許文献１に記載されたネットワーク複合機では、複数のネットワークを利用することが可能であり、ネットワークごとに通信方式が異なり得る。当該ネットワーク複合機では、複数の通信方式のそれぞれごとに、通信データを送信したときの所要時間と料金をユーザーに提示する。そして、当該ネットワーク複合機では、複数の通信方式のなかからユーザーによって選択された１つの通信方式によって通信データを送信する（特許文献１参照。）。
【先行技術文献】
【特許文献】
【０００４】
【特許文献１】特開２０１３−７４４９７号公報
【発明の概要】
【発明が解決しようとする課題】
【０００５】
特許文献１に記載された技術では、ネットワーク複合機は、ユーザーによって選択されれば、ネットワークが公衆回線であっても、データを送信することができる。
しかしながら、このように制限なく公衆回線が利用され得る構成では、セキュリティ面で問題がある場合があった。
一方、例えば、公衆回線についてはユーザーによって一切選択することができない構成とすることが考えられるが、この構成では、公衆回線を一切利用できないため、ユーザーにとって不便である場合があった。
【０００６】
具体例として、スキャナーの機能を有する複合機が、社内ＬＡＮ（Ｌｏｃａｌ  Ａｒｅａ  Ｎｅｔｗｏｒｋ）などのクローズなネットワークと接続されているとともに、公衆回線のようにオープンなネットワークと接続されている場合がある。この場合、セキュリティの観点から、当該複合機は、例えば、当該複合機の使用に際して、スキャナーによってスキャンされたデータの出力先をクローズなネットワークに限定するように運用されている。
しかしながら、このような運用では、例えば、公衆回線に接続されたクラウドストレージ等にデータを保存することを希望するユーザーの利用が制限されてしまう場合があった。
【課題を解決するための手段】
【０００７】
上記課題を解決するために一態様は、公衆回線とＬＡＮに接続するスキャナーであって、認証されていないユーザーについては前記ＬＡＮへのデータの送信を許可する一方で前記公衆回線へのデータの送信を制限し、認証されたユーザーについては前記ＬＡＮと前記公衆回線とのいずれに対してもデータの送信を許可する制御部を備える、スキャナーである。
【０００８】
上記課題を解決するために一態様は、公衆回線とＬＡＮに接続するスキャナーにおけるスキャンデータ処理方法であって、前記スキャナーは、認証されていないユーザーについては前記ＬＡＮへのデータの送信を許可する一方で前記公衆回線へのデータの送信を制限し、認証されたユーザーについては前記ＬＡＮと前記公衆回線とのいずれに対してもデータの送信を許可する、スキャンデータ処理方法である。
【図面の簡単な説明】
【０００９】
【図１】実施形態に係るスキャナーを含む通信システムの概略的な構成を示す図である。
【図２】実施形態に係るスキャナーの機能構成を示す図である。
【図３】実施形態に係るスキャナーにおける画面表示の一例を示す図である。
【図４】実施形態に係るスキャナーにおける画面表示の他の例を示す図である。
【図５】実施形態に係る通信システムにおいて行われる処理の一例を示す図である。
【発明を実施するための形態】
【００１０】
以下、実施形態について、図面を参照して説明する。
【００１１】
＜通信システム＞
図１は、実施形態に係るスキャナー１１を含む通信システム１の概略的な構成を示す図である。
通信システム１は、スキャナー１１と、端末装置２１−１〜２１−２と、ＬＡＮ（Ｌｏｃａｌ  Ａｒｅａ  Ｎｅｔｗｏｒｋ）５１と、公衆回線５２を備える。
さらに、図１には、ユーザー３１−１〜３１−２を示してある。
なお、本実施形態では、通信システム１にＬＡＮ５１および公衆回線５２が含まれると捉えたが、他の例として、通信システム１にＬＡＮ５１あるいは公衆回線５２のうちの一方または両方が含まれないと捉えられてもよい。
【００１２】
スキャナー１１は、ＬＡＮ５１と接続されているとともに、公衆回線５２と接続されている。
スキャナー１１は、ＬＡＮ５１に接続された装置と、ＬＡＮ５１を介して通信する。当該装置は、例えば、パーソナルコンピューター等である。
スキャナー１１は、公衆回線５２に接続された装置と、公衆回線５２を介して通信する。当該装置は、例えば、パーソナルコンピューター等である。
【００１３】
ここで、ＬＡＮ５１は、ネットワーク管理者が許可したパーソナルコンピューター等のインターネット接続機器しか接続することができない回線である。ＬＡＮ５１としては、様々なＬＡＮが用いられてもよく、例えば、社内ＬＡＮなどが用いられる。
また、公衆回線５２は、インターネット接続機器であれば自由に接続することができる回線である。公衆回線５２は、例えば、インターネット回線と呼ばれてもよい。
本実施形態では、スキャナー１１において、ＬＡＮ５１と公衆回線５２とのうち、ＬＡＮ５１が、データの標準の出力先として設定されている。つまり、スキャナー１１において、ＬＡＮ５１と公衆回線５２とのうち、ＬＡＮ５１が、初期の状態で選択される構成となっている。
【００１４】
端末装置２１−１は、ユーザー３１−１によって所有され、携帯されている。端末装置２１−１は、ユーザー３１−１によって所有されていることを識別する情報を、当該端末装置２１−１のメモリーに記憶している。当該情報としては、例えば、ユーザー３１−１の電話番号の情報、あるいは、ユーザー３１−１のメールアドレスの情報などであってもよい。
同様に、端末装置２１−２は、ユーザー３１−２によって所有され、携帯されている。端末装置２１−２は、ユーザー３１−２によって所有されていることを識別する識別情報を、当該端末装置２１−２のメモリーに記憶している。当該識別情報としては、例えば、ユーザー３１−２の電話番号の情報、あるいは、ユーザー３１−２のメールアドレスの情報などであってもよい。
【００１５】
なお、本実施形態では、説明を簡易にするために、それぞれのユーザー３１−１〜３１−２と、それぞれの端末装置２１−１〜２１−２と、それぞれの識別情報と、が一意に対応付けられているとする。
つまり、本実施形態では、それぞれのユーザー３１−１〜３１−２であることを認証することは、それぞれの端末装置２１−１〜２１−２であることを認証することと同じである。
他の例として、１個の端末装置に複数の異なるユーザーの識別情報が設定されていて、当該端末装置を使用するユーザーごとに、当該端末装置によって使用される識別情報が切り替えられる構成が用いられてもよい。
【００１６】
ここで、それぞれの端末装置２１−１〜２１−２は、例えば、スマートフォン、あるいは、携帯型のコンピューターなどの装置である。
それぞれの端末装置２１−１〜２１−２は、無線により通信する無線通信機能を備え、本実施形態では、当該無線通信機能として、無線により近距離の通信を行う近距離通信機能を備える。本実施形態では、それぞれの端末装置２１−１〜２１−２は、当該近距離通信機能として、Ｂｌｕｅｔｏｏｔｈ（登録商標）  Ｌｏｗ  Ｅｎｅｒｇｙの通信を行う機能を備える。Ｂｌｕｅｔｏｏｔｈ（登録商標）  Ｌｏｗ  Ｅｎｅｒｇｙは、ＢＬＥとも呼ばれる。
【００１７】
＜スキャナー＞
図２は、実施形態に係るスキャナー１１の機能構成を示す図である。
スキャナー１１は、制御部１１１と、操作パネル１１２と、入力画像処理部１１３と、近距離通信部１１４と、ＬＡＮ通信部１１５と、公衆回線通信部１１６を備える。
制御部１１１は、ＣＰＵ（Ｃｅｎｔｒａｌ  Ｐｒｏｃｅｓｓｉｎｇ  Ｕｎｉｔ）１３１と、ＲＯＭ（Ｒｅａｄ  Ｏｎｌｙ  Ｍｅｍｏｒｙ）１３２と、ＲＡＭ（Ｒａｎｄｏｍ  Ａｃｃｅｓｓ  Ｍｅｍｏｒｙ）１３３を備える。
近距離通信部１１４は、近距離通信デバイス２１１と、近距離通信処理部２１２を備える。
ＬＡＮ通信部１１５は、ＬＡＮインターフェイス２３１と、ＬＡＮ処理部２３２を備える。
公衆回線通信部１１６は、公衆回線インターフェイス２５１と、公衆回線処理部２５２を備える。
【００１８】
制御部１１１は、各種の処理および制御を行う。本実施形態では、制御部１１１は、例えば、操作パネル１１２、入力画像処理部１１３、近距離通信部１１４、ＬＡＮ通信部１１５、および公衆回線通信部１１６を制御する。
本実施形態では、ＲＯＭ１３２およびＲＡＭ１３３を含むメモリーに、所定のプログラムおよび当該プログラムで使用される所定のデータが記憶されている。そして、ＣＰＵ１３１は、当該メモリーに記憶された当該プログラムを読み出して実行することによって、各種の処理および制御を行う。この際、ＣＰＵ１３１は、必要に応じて、当該メモリーに記憶された当該データをパラメーター等として使用する。
【００１９】
操作パネル１１２は、ユーザー３１−１〜３１−２によって操作することが可能な操作部を有しており、当該操作部に対して行われた操作の内容を受け付ける。
また、操作パネル１１２は、画面を有しており、当該画面に情報を表示する。
ここで、操作部は、例えば、タッチパネルのように、操作の内容を受け付けるボタン等が画面に表示されて設けられてもよく、あるいは、このような画面とは別にキーあるいはボタン等として設けられてもよい。
【００２０】
入力画像処理部１１３は、画像読取の機能を有しており、所定の位置にセットされた紙に印刷等された画像の情報を読み取って入力し、読み取られた画像の情報を処理する。当該画像は、文字等であってもよい。
なお、紙は、例えば、用紙、あるいは、原稿などと呼ばれてもよい。
【００２１】
近距離通信デバイス２１１は、無線により近距離の通信を行う近距離通信機能を備える。本実施形態では、近距離通信デバイス２１１は、当該近距離通信機能として、無線によりＢＬＥの通信を行う機能を備える。
近距離通信処理部２１２は、近距離通信デバイス２１１によって行われる近距離通信に関する処理を行う。
【００２２】
ＬＡＮインターフェイス２３１は、ＬＡＮの通信のインターフェイスであり、ＬＡＮの通信を行う。
ＬＡＮ処理部２３２は、ＬＡＮインターフェイス２３１によって行われるＬＡＮの通信に関する処理を行う。
【００２３】
公衆回線インターフェイス２５１は、公衆回線の通信のインターフェイスであり、公衆回線の通信を行う。
公衆回線処理部２５２は、公衆回線インターフェイス２５１によって行われる公衆回線の通信に関する処理を行う。
なお、一例として、ＬＡＮ通信部１１５は標準で備えられ、公衆回線通信部１１６は増設される機能として備えられるが、これに限定されない。
【００２４】
制御部１１１は、入力画像処理部１１３によって読み取られた画像のデータであるスキャンデータを、ＬＡＮ５１または公衆回線５２に接続された保存先となる装置に送信する。当該装置は、スキャナー１１から送信された当該スキャンデータを受信して、受信したスキャンデータを当該装置のメモリーに記憶して保存する。
ここで、スキャンデータの保存先となる装置は、例えば、あらかじめ制御部１１１のメモリーに設定されていてもよく、あるいは、ユーザー３１−１〜３１−２などによって設定されてもよい。
【００２５】
＜スキャナーと端末装置との近距離通信＞
スキャナー１１と端末装置２１−１〜２１−２との間で行われる近距離通信について説明する。
スキャナー１１では、近距離通信デバイス２１１は、所定の期間ごとに、所定のビーコン信号を無線により発信する。
ここで、当該所定の期間は、任意の期間であってもよく、例えば、一定の期間である。
また、本実施形態では、当該ビーコン信号は、ＢＬＥのビーコン信号である。
【００２６】
それぞれの端末装置２１−１〜２１−２は、スキャナー１１の近距離通信デバイス２１１から無線により発信された近距離通信のビーコン信号を受信した場合、スキャナー１１の近距離通信デバイス２１１との間で近距離通信を行う。この場合、スキャナー１１では、制御部１１１が、近距離通信デバイス２１１および近距離通信処理部２１２を介して、近距離通信の相手である端末装置２１−１〜２１−２に対して認証処理を行う。
【００２７】
ここで、本実施形態では、認証処理として、ＢＬＥの認証処理が用いられている。つまり、制御部１１１は、端末装置２１−１〜２１−２からＢＬＥ通信によって受信した所定の認証情報に基づいてユーザー３１−１〜３１−２の認証を行う。当該認証情報は、それぞれのユーザー３１−１〜３１−２を特定する情報であり、例えば、それぞれのユーザー３１−１〜３１−２の識別情報を含んでいてもよい。
本実施形態では、ＢＬＥの認証処理を用いることにより、意図的な認証を排除することができる。また、ＢＬＥでは、近距離通信デバイス２１１は、通信することが可能な複数の端末装置２１−１〜２１−２が存在する場合には、端末装置２１−１〜２１−２ごとの信号強度を取得することができる。なお、本実施形態では、それぞれの端末装置２１−１〜２１−２がＢＬＥの端末装置に相当する。
【００２８】
認証処理において、端末装置２１−１〜２１−２では、スキャナー１１から送信されたビーコン信号を受信すると、当該端末装置２１−１〜２１−２のユーザー３１−１〜３１−２の認証情報をスキャナー１１に送信する。スキャナー１１では、制御部１１１が、端末装置２１−１〜２１−２から受信した当該認証情報に基づいて、当該端末装置２１−１〜２１−２のユーザー３１−１〜３１−２について、認証処理を行う。
【００２９】
本実施形態では、説明を簡易化するために、近距離通信において、スキャナー１１と端末装置２１−１〜２１−２との距離が小さいほど、両者の通信の強度が強いとする。通信の強度としては、例えば、送信側の装置から送信された信号が受信側の装置によって受信されたときのＲＳＳＩ（Ｒｅｃｅｉｖｅｄ  Ｓｉｇｎａｌ  Ｓｔｒｅｎｇｔｈ  Ｉｎｄｉｃａｔｉｏｎ）の値が用いられてもよい。ＲＳＳＩは、無線電波の電波強度を表す値の一例である。
本実施形態では、近距離通信の距離と強度とが、反比例などのように負の相関関係を有することを想定する。スキャナー１１は、当該スキャナー１１との近距離通信の強度が所定の閾値以上となる端末装置２１−１〜２１−２を、近距離通信の対象とし、認証処理の対象とする。
【００３０】
認証処理について説明する。
スキャナー１１のメモリーには、認証すべき端末装置２１−１〜２１−２のユーザー３１−１〜３１−２の認証情報が記憶されている。
認証処理の一例として、スキャナー１１では、制御部１１１は、認証処理の対象となるユーザー３１−１〜３１−２の端末装置２１−１〜２１−２から通知された認証情報が、当該スキャナー１１のメモリーに記憶された認証情報と一致するか否かを判定する。そして、制御部１１１は、両者が一致すると判定した場合に、当該端末装置２１−１〜２１−２のユーザー３１−１〜３１−２が認証処理の対象となってから、当該端末装置２１−１〜２１−２との通信の強度が所定の閾値以上となる状態が継続する継続時間を計数する。その結果、制御部１１１は、計数された当該継続時間が所定の時間以上となった場合に、当該端末装置２１−１〜２１−２のユーザー３１−１〜３１−２が認証されたと判定する。
【００３１】
一方、スキャナー１１では、制御部１１１は、認証処理の対象となるユーザー３１−１〜３１−２の端末装置２１−１〜２１−２から通知された認証情報が、当該メモリーに含まれる認証情報と一致しなかったと判定した場合に、当該端末装置２１−１〜２１−２のユーザー３１−１〜３１−２が認証されなかったと判定する。また、スキャナー１１では、制御部１１１は、認証処理の対象となるユーザー３１−１〜３１−２の端末装置２１−１〜２１−２から通知された認証情報が、当該スキャナー１１のメモリーに含まれる認証情報と一致すると判定した場合であっても、当該端末装置２１−１〜２１−２のユーザー３１−１〜３１−２が認証処理の対象となってから、当該端末装置２１−１〜２１−２との通信の強度が所定の閾値以上となる状態が継続する継続時間が所定の時間未満である場合には、当該端末装置２１−１〜２１−２のユーザー３１−１〜３１−２が認証されなかったと判定する。
【００３２】
ここで、スキャナー１１では、制御部１１１は、当該スキャナー１１との通信の強度が所定の閾値以上となる端末装置２１−１〜２１−２が２つ以上同時に存在する場合には、まず、通信の強度が最も強い１つの端末装置２１−１〜２１−２のユーザー３１−１〜３１−２を認証処理の対象とする。
つまり、制御部１１１は、複数の端末装置２１−１〜２１−２のうちで、端末装置２１−１〜２１−２から受信した無線電波の電波強度が最も強い端末装置２１−１〜２１−２からの認証要求に対しては電波強度の強さが十分な時間だけ継続した場合にはユーザー３１−１〜３１−２の認証を成功させ、一方、他の端末装置２１−１〜２１−２からの認証要求に対してはユーザー３１−１〜３１−２の認証を失敗させる。
【００３３】
具体例として、「端末装置Ａ」および「端末装置Ｂ」が異なる端末装置であり、「端末装置Ｃ」が「端末装置Ａ」および「端末装置Ｂ」を含む任意の端末装置であるとして説明する。
すなわち、スキャナー１１では、制御部１１１は、端末装置Ａが近距離通信の対象となって、当該端末装置Ａのユーザー３１−１〜３１−２が認証対象となった場合、当該端末装置Ａとの通信の強度が所定の閾値以上となる状態が継続する時間を計数する。このような計数が行われている間は、制御部１１１は、スキャナー１１と他の端末装置Ｂとの通信の強度が所定の閾値以上であっても、当該他の端末装置Ｂのユーザー３１−１〜３１−２を認証処理の対象としない。
そして、スキャナー１１では、制御部１１１は、端末装置Ａとの通信の強度が所定の閾値以上となる状態が所定の時間継続した場合に、当該端末装置Ａのユーザー３１−１〜３１−２が認証されたと判定する。なお、本実施形態では、認証処理によって認証されるとは認証が成功することを表し、認証処理によって認証されないとは認証が失敗することを表す。
一方、スキャナー１１では、制御部１１１は、端末装置Ａとの通信の強度が所定の閾値以上となる状態が所定の時間継続しなかった場合には、その時点あるいはその後にスキャナー１１との通信の強度が所定の閾値以上である端末装置Ｃのユーザー３１−１〜３１−２を認証対象とし、当該端末装置Ｃとの通信の強度が所定の閾値以上となる状態が継続する時間を計数する。ここで、端末装置Ｃは、例えば、前回に認証処理の対象としたものと同じ端末装置Ａであってもよく、あるいは、前回に認証処理の対象とした端末装置Ａとは異なる端末装置Ｂまたは他の端末装置であってもよい。
【００３４】
このような認証処理の一例では、スキャナー１１では、制御部１１１は、例えば、スキャンの指示を受け付けた時点の前または後に、当該スキャナー１１との距離が近くなった状態が所定の時間継続した端末装置２１−１〜２１−２を携帯するユーザー３１−１〜３１−２が当該指示を行ったと判定する構成とすることができる。
このように、スキャナー１１と端末装置２１−１〜２１−２との一時的な近距離の状態だけでなく、近距離の状態の継続時間を考慮する構成の方が、当該継続時間を考慮しない構成と比べて、スキャナー１１に近付いた端末装置２１−１〜２１−２を正確に判定することが可能である。
したがって、スキャナー１１では、制御部１１１は、当該スキャナー１１の前に存在するユーザー３１−１〜３１−２を優先的に認証対象とすることができ、ユーザー３１−１〜３１−２は、スキャナー１１によって行われる認証の処理を意識しなくても、認証対象とされることができる。
【００３５】
ここで、認証処理の他の例を示す。
すなわち、スキャナー１１では、制御部１１１は、認証処理の対象となるユーザー３１−１〜３１−２の端末装置２１−１〜２１−２から通知された認証情報が、当該スキャナー１１のメモリーに含まれる認証情報と一致するか否かを判定し、両者が一致すると判定した場合に、当該端末装置２１−１〜２１−２のユーザー３１−１〜３１−２が認証されたと判定する。
一方、スキャナー１１では、制御部１１１は、認証処理の対象となるユーザー３１−１〜３１−２の端末装置２１−１〜２１−２から通知された認証情報が、当該スキャナー１１のメモリーに含まれる認証情報と一致しなかったと判定した場合に、当該端末装置２１−１〜２１−２のユーザー３１−１〜３１−２が認証されなかったと判定する。
このような認証処理の他の例では、スキャナー１１では、制御部１１１は、例えば、スキャンの指示を受け付けた時点の前または後に、当該スキャナー１１との距離が近くなった端末装置２１−１〜２１−２を携帯するユーザー３１−１〜３１−２が当該指示を行ったと判定する構成とすることができる。
【００３６】
なお、本実施形態では、スキャナー１１の近距離通信デバイス２１１によって行われる近距離通信と同じ近距離通信を行う機能を有しない端末装置については、スキャナー１１によって認証処理の対象とされない。
また、本実施形態では、近距離通信の一例としてＢＬＥが用いられる場合を示したが、他の通信方式が用いられてもよい。
また、本実施形態では、近距離通信が用いられたが、近距離通信の代わりに、他の無線通信が用いられてもよく、例えば、ＷｉＦｉ（登録商標）などが用いられてもよい。
【００３７】
＜スキャナーによる接続可能なネットワークの切り替え＞
スキャナー１１では、制御部１１１は、それぞれの端末装置２１−１〜２１−２のユーザー３１−１〜３１−２ごとに、認証処理の結果に応じて、接続可能なネットワークを切り替える。
スキャナー１１では、制御部１１１は、認証されていないユーザー３１−１〜３１−２の端末装置２１−１〜２１−２については、ＬＡＮ５１へのデータの送信を許可する一方で、公衆回線５２へのデータの送信を制限する。本実施形態では、制御部１１１は、公衆回線５２へのデータの送信を制限する態様として、公衆回線５２へのデータの送信を禁止する態様を用いている。
一方、スキャナー１１では、制御部１１１は、認証されたユーザー３１−１〜３１−２の端末装置２１−１〜２１−２については、ＬＡＮ５１と公衆回線５２とのいずれに対してもデータの送信を許可する。
【００３８】
ここで、認証されていないユーザー３１−１〜３１−２の端末装置２１−１〜２１−２としては、既に認証処理が行われたが認証されなかったユーザー３１−１〜３１−２の端末装置２１−１〜２１−２と、未だに認証処理が行われていないユーザー３１−１〜３１−２の端末装置２１−１〜２１−２が含まれる。
また、本実施形態では、説明の便宜上、認証処理として、公衆回線５２との通信が許可されたユーザー３１−１〜３１−２であるか否かを判定する認証処理が行われるとする。つまり、本実施形態では、認証されたユーザー３１−１〜３１−２については、必ず、公衆回線５２との通信が許可されていることとしている。
【００３９】
このため、他の構成例として、認証されたユーザー３１−１〜３１−２の端末装置２１−１〜２１−２のなかに、公衆回線５２との通信が許可されているユーザーの端末装置と、公衆回線５２との通信が許可されていないユーザーの端末装置が含まれ得る場合には、次のような構成とする。
すなわち、スキャナー１１では、制御部１１１は、認証されたユーザー３１−１〜３１−２の端末装置２１−１〜２１−２について、当該ユーザー３１−１〜３１−２について公衆回線５２との通信が許可されていると判定した場合には、ＬＡＮ５１と公衆回線５２とのいずれに対してもデータの送信を許可する。
一方、スキャナー１１では、制御部１１１は、認証されたユーザー３１−１〜３１−２の端末装置２１−１〜２１−２について、当該ユーザー３１−１〜３１−２について公衆回線５２との通信が許可されていないと判定した場合には、ＬＡＮ５１へのデータの送信を許可する一方で、公衆回線５２へのデータの送信を制限する。
このような構成では、スキャナー１１では、それぞれのユーザー３１−１〜３１−２の端末装置２１−１〜２１−２における認証情報ごとに、公衆回線５２との通信が許可されているか否かを特定する権限の情報を、当該スキャナー１１のメモリーに記憶する。そして、スキャナー１１では、制御部１１１は、当該権限の情報に基づいて、それぞれのユーザー３１−１〜３１−２について、公衆回線５２との通信が許可されているか否かを特定する。
【００４０】
このように、スキャナー１１では、制御部１１１は、端末装置２１−１〜２１−２のユーザー３１−１〜３１−２の認証処理の結果に応じて、当該端末装置２１−１〜２１−２によって使用することが可能なネットワークの選択肢を切り替えることができる。
これにより、認証されていないユーザー３１−１〜３１−２の端末装置２１−１〜２１−２では、クローズなネットワークであるＬＡＮ５１を使用することは可能であるが、オープンなネットワークである公衆回線５２を使用することはできない。
一方、認証されたユーザー３１−１〜３１−２の端末装置２１−１〜２１−２では、クローズなネットワークであるＬＡＮ５１を使用することができ、かつ、オープンなネットワークである公衆回線５２を使用することができる。
【００４１】
＜画面表示＞
図３は、実施形態に係るスキャナー１１における画面表示の一例を示す図である。
図３には、ユーザー３１−１〜３１−２が認証されなかった場合に、スキャナー１１において制御部１１１が操作パネル１１２の画面に表示する表示画面１０１１の一例を示してある。
表示画面１０１１には、選択されているネットワークの情報を表示する欄２０１１と、保存先の情報を表示する欄２０１２と、ユーザー名の情報を表示する欄２０１３と、パスワードの情報を表示する欄２０１４が含まれている。
保存先の情報を表示する欄２０１２には、スキャンデータの保存先となる装置を表す情報が表示され、例えば、選択されているネットワークに接続されたスキャンデータの保存先となるサーバー装置などの名称が表示される。
図３の例では、ユーザー３１−１〜３１−２は、ネットワークとして、クローズドなネットワークであるＬＡＮ５１を選択することが可能であるが、オープンなネットワークである公衆回線５２を選択することは不可能である。図３の例では、「ＮＷ１」は、ＬＡＮ５１を表している。
したがって、ユーザー３１−１〜３１−２は、スキャナー１１によって認証されていないときには、クローズドなネットワークのなかから、スキャンデータの保存先を選択する。
【００４２】
図４は、実施形態に係るスキャナー１１における画面表示の他の例を示す図である。
図４には、ユーザー３１−１〜３１−２が認証された場合に、スキャナー１１において制御部１１１が操作パネル１１２の画面に表示する表示画面１０３１の一例を示してある。
表示画面１０３１には、選択されているネットワークの情報を表示する欄２０２１と、保存先の情報を表示する欄２０２２と、ユーザー名の情報を表示する欄２０２３と、パスワードの情報を表示する欄２０２４が含まれている。
また、表示画面１０３１には、選択されるネットワークを切り替えるネットワーク切替指示部２０３１が含まれている。ネットワーク切替指示部２０３１は、スキャナー１１と接続されるネットワークを切り替えるタッチパネルのボタンである。
図４の例では、ユーザー３１−１〜３１−２は、ネットワークとして、クローズドなネットワークであるＬＡＮ５１を選択することが可能であり、かつ、オープンなネットワークである公衆回線５２を選択することも可能である。
したがって、ユーザー３１−１〜３１−２は、スキャナー１１によって認証されたときには、クローズドなネットワークおよびオープンなネットワークのなかから、スキャンデータの保存先を選択する。
【００４３】
また、図４の例では、ユーザー３１−１〜３１−２が認証されたときの初期状態として、クローズドなネットワークが選択されている状態が用いられている。図４の例では、「ＮＷ１」は、ＬＡＮ５１を表している。
この状態において、ユーザー３１−１〜３１−２により行われる操作によってネットワーク切替指示部２０３１が押下されると、スキャナー１１では、制御部１１１は、公衆回線５２が選択された状態に切り替え、公衆回線５２が選択された状態を表す表示画面を表示する。当該表示画面では、選択されているネットワークの情報を表示する欄２０２１に、公衆回線５２を表す例えば「ＮＷ２」が表示される。
【００４４】
このように、スキャナー１１では、制御部１１１は、認証されたユーザー３１−１〜３１−２については、最初は、ＬＡＮ５１が選択された状態の表示画面１０３１を表示し、当該表示画面１０３１に含まれるネットワーク切替指示部２０３１がユーザー３１−１〜３１−２によって操作された場合に、公衆回線５２が選択された状態に切り替える。
したがって、本実施形態では、スキャナー１１では、セキュリティ面を考慮して、通常はユーザー３１−１〜３１−２にセキュアなネットワークであるクローズドなネットワークを選択させ、特定のユーザー３１−１〜３１−２についてのみオープンなネットワークへの接続の切替を許可することができる。
ユーザー３１−１〜３１−２にとっては、自動的に行われる認証処理によって、認証された場合には、認証されない場合と比べて、スキャンデータの出力先の候補が動的に追加されることになる。そして、ユーザー３１−１〜３１−２は、スキャンデータの出力先を候補のなかから切り替えることができる。
【００４５】
＜接続されるネットワークのデフォルト値＞
さらに、本実施形態では、スキャナー１１と接続されるネットワークについて、事前に、それぞれのユーザー３１−１〜３１−２の端末装置２１−１〜２１−２ごとに、当該ユーザー３１−１〜３１−２のデフォルト値が設定されてもよい。
端末装置２１−１〜２１−２は、スキャナー１１によって認証されたときなどの所定のタイミングで、スキャナー１１が接続されるネットワークについて、デフォルト値をスキャナー１１に送信する。
【００４６】
スキャナー１１では、制御部１１１は、端末装置２１−１〜２１−２から受信したデフォルト値に基づいて、初期的なネットワークを、当該デフォルト値に対応するネットワークに設定し、当該ネットワークを操作パネル１１２の画面に表示する。このようなデフォルト値としては、例えば、クローズドなネットワークばかりでなく、オープンなネットワークが選択されてもよい。
このため、このようなデフォルト値が用いられる場合には、図４の例とは異なり、デフォルト値が公衆回線５２を示す場合には、スキャナー１１では、制御部１１１は、初期の状態から、ユーザー３１−１〜３１−２によって公衆回線５２が使用される状態に設定する。そして、このようにユーザー３１−１〜３１−２によってあらかじめ公衆回線５２の使用許可がデフォルト値として設定されている場合には、公衆回線５２が選択された状態の画面が、初期の状態の画面として、スキャナー１１の操作パネル１１２の画面に表示される。
【００４７】
ここで、本実施形態では、スキャナー１１では、制御部１１１は、ユーザー３１−１〜３１−２の認証が成功した場合、当該ユーザー３１−１〜３１−２の端末装置２１−１〜２１−２にデフォルト値を含む設定情報を要求し、当該端末装置２１−１〜２１−２から受信した設定情報に公衆回線５２の使用を許可する情報が含まれている場合、公衆回線５２が選択された状態の表示画面を表示する。
したがって、本実施形態では、スキャナー１１では、ユーザー３１−１〜３１−２の希望に合ったネットワークのデフォルト値が用いられることによって、さらなる利便性を向上することができる。
【００４８】
＜通信システムにおける処理＞
図５は、実施形態に係る通信システムにおいて行われる処理の一例を示す図である。
図５には、ユーザー３１−１、端末装置２１−１、近距離通信デバイス２１１、制御部１１１、操作パネル１１２について、処理のシーケンスを示してある。
なお、図５の例では、ユーザー３１−１および端末装置２１−１について説明するが、他のユーザー３１−２および他の端末装置２１−２についても同様である。
【００４９】
まず、スキャナー１１において、近距離通信デバイス２１１は、ビーコン信号を無線送信することで、端末装置２１−１を探索する（処理Ｔ１）。なお、このような端末装置の探索は、例えば、アドバタイズと呼ばれてもよい。
端末装置２１−１は、ビーコン信号を受信すると、当該ビーコン信号の送信元の近距離通信デバイス２１１と接続することを試みる（処理Ｔ２）。
端末装置２１−１は、近距離通信デバイス２１１と接続すると、近距離通信デバイス２１１に認証要求のための信号を送信する（処理Ｔ３）。
【００５０】
近距離通信デバイス２１１は、端末装置２１−１から認証要求のための信号を受信すると、当該端末装置２１−１から受信する信号の強度が所定の閾値以上であるか否かを判定する（処理Ｔ４）。
さらに、近距離通信デバイス２１１は、端末装置２１−１から受信する信号の強度が所定の閾値以上である場合、信号を受信している当該端末装置２１−１を含むすべての端末装置のなかで、当該端末装置２１−１からの信号の強度が最大であるか否かを判定する。
【００５１】
近距離通信デバイス２１１は、端末装置２１−１から受信する信号の強度が所定の閾値以上であって、かつ、信号を受信しているすべての端末装置からの信号のなかで最大強度である場合には、当該端末装置２１−１についての認証の要求を、近距離通信処理部２１２を介して、制御部１１１に通知する（処理Ｔ５）。
【００５２】
制御部１１１は、このような認証の要求の通知を受けると、端末装置２１−１のユーザー３１−１について認証処理を行う（処理Ｔ６）。
この結果、制御部１１１は、端末装置２１−１のユーザー３１−１の認証が成功した場合には、当該端末装置２１−１について、オープンなネットワークの利用の制限を解除する（処理Ｔ７）。一方、制御部１１１は、端末装置２１−１のユーザー３１−１の認証が失敗した場合には、当該端末装置２１−１について、オープンなネットワークの利用の制限を維持する。
【００５３】
制御部１１１は、認証の結果を、近距離通信処理部２１２を介して、近距離通信デバイス２１１に通知する（処理Ｔ８）。
近距離通信デバイス２１１は、認証の結果を示す信号を端末装置２１−１に送信する（処理Ｔ９）。
【００５４】
この際、近距離通信デバイス２１１は、端末装置２１−１に、保存先のデフォルト値の情報を要求してもよい。本例では、近距離通信デバイス２１１から端末装置２１−１に認証されたことを示す信号を送信する場合、当該信号が、保存先のデフォルト値の情報を要求する信号としても使用されている。
【００５５】
端末装置２１−１は、保存先のデフォルト値を示す情報である保存先情報を近距離通信デバイス２１１に送信する（処理Ｔ１０）。
近距離通信デバイス２１１は、端末装置２１−１から受信した保存先情報を、近距離通信処理部２１２を介して、制御部１１１に通知する（処理Ｔ１１）。
制御部１１１は、近距離通信デバイス２１１から受信した保存先情報に基づいて、端末装置２１−１について、スキャンデータの保存先を更新する（処理Ｔ１２）。
制御部１１１は、保存先を更新したことを、近距離通信デバイス２１１に応答して通知する（処理Ｔ１３）。
【００５６】
近距離通信デバイス２１１は、制御部１１１から通知された保存先の更新に基づいて、端末装置２１−１に、保存先の設定結果を示す信号を送信する（処理Ｔ１４）。
端末装置２１−１は、近距離通信デバイス２１１から保存先の設定結果を示す信号を受信すると、近距離通信デバイス２１１との接続を切断する（処理Ｔ１５）。
【００５７】
その後、ユーザー３１−１は、スキャナー１１の操作パネル１１２の画面に表示されたメニューのなかから、スキャンすることを選択する（処理Ｔ１６）。
スキャナー１１では、操作パネル１１２は、ユーザー３１−１によってネットワークの利用制限あるいは保存先情報などが設定された場合には、ユーザー３１−１によって設定されたネットワークの利用制限あるいは保存先情報を制御部１１１に通知する（処理Ｔ１７）。
【００５８】
制御部１１１は、操作パネル１１２からの通知に応じて、操作パネル１１２の画面に表示される情報を、操作パネル１１２に返却する（処理Ｔ１８）。この場合、制御部１１１は、例えば、必要に応じて、スキャナー１１の操作パネル１１２からの通知に基づいて、操作パネル１１２の画面に表示される情報を更新してもよい。
操作パネル１１２の画面に表示される情報は、ユーザー３１−１によって視覚的に把握される（処理Ｔ１９）。
【００５９】
ここで、例えば、事前に、本実施形態に係る動作を行うために必要なアプリケーションを端末装置２１−１に常駐させておくことが行われてもよい。これにより、例えば、ユーザー３１−１が意識しなくても、ユーザー３１−１がスキャナー１１の近くに立つだけで、スキャンデータの出力先を選択するためのネットワーク切替指示部２０３１の表示、および、選択可能なネットワークに紐付くスキャンデータの保存先の表示などが、操作パネル１１２の画面に反映される。
【００６０】
＜以上の実施形態について＞
以上のように、本実施形態に係るスキャナー１１では、２つ以上のネットワークのインターフェイスを有しており、当該スキャナー１１に端末装置２１−１〜２１−２を所持したユーザー３１−１〜３１−２が近付いたときに、近距離通信によって自動的に当該ユーザー３１−１〜３１−２の認証処理を行う。そして、スキャナー１１では、事前に設定されたユーザー３１−１〜３１−２ごとの権限にしたがって、スキャンデータを出力することができるネットワークと宛先の選択肢を増加などさせる。
【００６１】
本実施形態に係るスキャナー１１では、従来におけるＩＤカードの認証あるいはパネルでのログインとは異なり、ユーザー３１−１〜３１−２はスキャナー１１の前で特定の動作を行わずとも自動的に認証処理を受けることができる。そして、本実施形態に係るスキャナー１１では、認証処理の結果に基づいて、当該スキャナー１１の機能を有効と無効とで切り替えること、および、ユーザー３１−１〜３１−２ごとにスキャンデータの出力先のネットワークを切り替えることができ、これにより、利便性の向上が図られる。
【００６２】
＜変形例＞
ここで、本実施形態では、スキャンデータの送信先を２つのネットワークで切り替える場合を示したが、他の例として、スキャンデータの代わりに、スキャンデータ以外の任意のデータに適用されてもよい。
また、１つのスキャナー１１が、３つ以上のネットワークと接続することが可能な構成が用いられてもよい。
【００６３】
また、本実施形態では、スキャナー１１を例として示したが、スキャナー１１の代わりに、スキャナーの機能を有する他の装置が用いられてもよい。当該他の装置としては、例えば、スキャナーの機能を有する印刷装置などの複合機が用いられてもよい。
【００６４】
＜構成例＞
一構成例として、公衆回線５２とＬＡＮ５１に接続するスキャナー１１であって、認証されていないユーザー３１−１〜３１−２についてはＬＡＮ５１へのデータの送信を許可する一方で公衆回線５２へのデータの送信を制限し、認証されたユーザー３１−１〜３１−２についてはＬＡＮ５１と公衆回線５２とのいずれに対してもデータの送信を許可する制御部１１１を備える。
したがって、スキャナー１１では、ユーザー３１−１〜３１−２ごとにデータの送信に使用され得る回線を制限あるいは許可することができ、ユーザー３１−１〜３１−２の利便性を向上させることができる。
【００６５】
一構成例として、スキャナー１１において、制御部１１１は、認証されたユーザー３１−１〜３１−２については、ＬＡＮ５１が選択された状態の第１操作画面（図４の例では、表示画面１０３１）を表示し、第１操作画面に含まれるネットワーク切替指示部２０３１がユーザー３１−１〜３１−２によって操作された場合に、公衆回線５２が選択された状態に切り替える。
したがって、スキャナー１１では、認証されたユーザー３１−１〜３１−２について、公衆回線５２が使用可能であっても、初期には、ＬＡＮ５１が選択された画面を表示することで、誤って公衆回線５２にデータが送信されることを防止し、セキュリティ性を高めることができる。
【００６６】
一構成例として、スキャナー１１において、制御部１１１は、ユーザー３１−１〜３１−２の認証が成功した場合、当該ユーザー３１−１〜３１−２に対応する端末装置２１−１〜２１−２に設定情報を要求し、端末装置２１−１〜２１−２から受信した設定情報に公衆回線５２の使用を許可する情報が含まれている場合、公衆回線５２が選択された状態の第２操作画面を表示する。
したがって、スキャナー１１では、認証されたユーザー３１−１〜３１−２について、例えば、初期であっても、設定情報にしたがって、公衆回線５２が選択された状態の画面を表示することで、ユーザー３１−１〜３１−２の利便性を向上させることができる。
【００６７】
一構成例として、スキャナー１１において、制御部１１１は、複数の端末装置２１−１〜２１−２について、端末装置２１−１〜２１−２から受信した無線電波の電波強度が最も強い端末装置２１−１〜２１−２からの認証要求に対してはユーザー３１−１〜３１−２の認証を成功させ、他の端末装置２１−１〜２１−２からの認証要求に対してはユーザー３１−１〜３１−２の認証を失敗させる。
したがって、スキャナー１１では、端末装置２１−１〜２１−２から受信した無線電波の電波強度が最も強い端末装置２１−１〜２１−２を認証することができ、スキャナー１１に近付いた端末装置２１−１〜２１−２を正確に判定することが可能である。
【００６８】
一構成例として、スキャナー１１において、制御部１１１は、端末装置２１−１〜２１−２からＢＬＥ通信を介して受信した認証情報に基づいてユーザー３１−１〜３１−２の認証を行う。
したがって、スキャナー１１では、ＢＬＥを利用して、ユーザー３１−１〜３１−２の認証を行うことができる。
【００６９】
一構成例として、公衆回線５２とＬＡＮ５１に接続するスキャナー１１におけるスキャンデータ処理方法であって、スキャナー１１は、認証されていないユーザー３１−１〜３１−２についてはＬＡＮ５１へのデータの送信を許可する一方で公衆回線５２へのデータの送信を制限し、認証されたユーザー３１−１〜３１−２についてはＬＡＮ５１と公衆回線５２とのいずれに対してもデータの送信を許可する。
したがって、スキャナー１１では、ユーザー３１−１〜３１−２ごとにデータの送信に使用され得る回線を制限あるいは許可することができ、ユーザー３１−１〜３１−２の利便性を向上させることができる。
【００７０】
＜以上の実施形態について＞
なお、以上に説明したスキャナー１１あるいは端末装置２１−１〜２１−２などの任意の装置における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ、ＣＤ（Ｃｏｍｐａｃｔ  Ｄｉｓｃ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーあるいはクライアントとなるコンピューターシステム内部の揮発性メモリー（ＲＡＭ）のように、一定時間プログラムを保持しているものも含むものとする。
【００７１】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００７２】
また、以上に説明したスキャナー１１あるいは端末装置２１−１〜２１−２などの任意の装置における任意の構成部の機能は、プロセッサーにより実現されてもよい。例えば、本実施形態における各処理は、プログラム等の情報に基づき動作するプロセッサーと、プログラム等の情報を記録するコンピューター読み取り可能な記録媒体により実現されてもよい。ここで、プロセッサーは、例えば、各部の機能が個別のハードウェアで実現されてもよく、あるいは、各部の機能が一体のハードウェアで実現されてもよい。例えば、プロセッサーはハードウェアを含み、当該ハードウェアは、デジタル信号を処理する回路およびアナログ信号を処理する回路のうちの少なくとも一方を含んでもよい。例えば、プロセッサーは、回路基板に実装された１または複数の回路装置、あるいは、１または複数の回路素子のうちの一方または両方を用いて、構成されてもよい。回路装置としてはＩＣ（Ｉｎｔｅｇｒａｔｅｄ  Ｃｉｒｃｕｉｔ）などが用いられてもよく、回路素子としては抵抗あるいはキャパシターなどが用いられてもよい。
【００７３】
ここで、プロセッサーは、例えば、ＣＰＵであってもよい。ただし、プロセッサーは、ＣＰＵに限定されるものではなく、例えば、ＧＰＵ（Ｇｒａｐｈｉｃｓ  Ｐｒｏｃｅｓｓｉｎｇ  Ｕｎｉｔ）、あるいは、ＤＳＰ（Ｄｉｇｉｔａｌ  Ｓｉｇｎａｌ  Ｐｒｏｃｅｓｓｏｒ）等のような、各種のプロセッサーが用いられてもよい。また、プロセッサーは、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によるハードウェア回路であってもよい。また、プロセッサーは、例えば、複数のＣＰＵにより構成されていてもよく、あるいは、複数のＡＳＩＣによるハードウェア回路により構成されていてもよい。また、プロセッサーは、例えば、複数のＣＰＵと、複数のＡＳＩＣによるハードウェア回路と、の組み合わせにより構成されていてもよい。また、プロセッサーは、例えば、アナログ信号を処理するアンプ回路あるいはフィルター回路等のうちの１以上を含んでもよい。
【００７４】
以上、この発明の実施形態について図面を参照して詳述してきたが、具体的な構成はこの実施形態に限られるものではなく、この発明の要旨を逸脱しない範囲の設計等も含まれる。
【符号の説明】
【００７５】
１…通信システム、１１…スキャナー、２１−１〜２１−２…端末装置、３１−１〜３１−２…ユーザー、５１…ＬＡＮ、５２…公衆回線、１１１…制御部、１１２…操作パネル、１１３…入力画像処理部、１１４…近距離通信部、１１５…ＬＡＮ通信部、１１６…公衆回線通信部、１３１…ＣＰＵ、１３２…ＲＯＭ、１３３…ＲＡＭ、２１１…近距離通信デバイス、２１２…近距離通信処理部、２３１…ＬＡＮインターフェイス、２３２…ＬＡＮ処理部、２５１…公衆回線インターフェイス、２５２…公衆回線処理部、１０１１、１０３１…表示画面、２０１１〜２０１４、２０２１〜２０２４…欄、２０３１…ネットワーク切替指示部
【図１】
2020136957.tif 000003
【図２】
2020136957.tif 000004
【図３】
2020136957.tif 000005
【図４】
2020136957.tif 000006
【図５】
2020136957.tif 000007